Podtech/llm-jp-corpus-v4-ja_patent huggingface dataset:
(57)【要約】      （修正有）【課題】従来知られている硝子製ビー玉よりも耐衝撃性が高く、又磁石を利用する遊びが出来、装飾性も高めることが容易で、同径のガラス製の球体と同一重量としたビー玉を提供する。【解決手段】鉄芯２の全外面を、合成樹脂製外被３で覆合させて眞円球体の鉄芯入りビー玉１とし、更に従来の硝子製のビー玉と大きさおよび重量を同一とする。【選択図】図１
2007007003.tif 000002
【特許請求の範囲】
【請求項１】
鉄芯の全外面を合成樹脂製外被で覆合させて第２眞円球とした
ことを特徴とする鉄芯入りビー玉。
【請求項２】
上記鉄芯を第１眞円球とした
ことを特徴とする請求項１記載の鉄芯入りビー玉。
【請求項３】
上記第２眞円球を、該球体と同径のガラス製球体と同一重量とした
ことを特徴とする請求項１又は２記載の鉄芯入りビー玉。
【発明の詳細な説明】
【技術分野】
【０００１】
本発明は、例えば玉を転がした競技相手の玉に当て、その衝撃によりはじく等して玉を取り合い、子供が遊ぶ、直径１〜２センチのビー玉に関する。尚本願において「ビー玉」とは、材質を問わず遊技用の球体をいうものとする。
【背景技術】
【０００２】
ビー玉は、硝子製球体の玩具として古くから知られているが、最近では合成樹脂製の球体や、鉄球や、球体の一半を金属で、又他半を合成樹脂で形成して、その一半を重く、他半を軽くして該球体が不規則に転動するようにした非硝子製のビー玉も市販されている。又弾性球体の直径方向に短柱状の硬質芯材を貫設して、その芯材の両端面を球体外面へ露出させたラムネ玉も知られている（特許文献１）。
【特許文献１】特開平１１−３４８９９４号公報
【発明の開示】
【発明が解決しようとする課題】
【０００３】
古くから用いられている硝子製のビー玉は、その大きさ、又重量等が玩具に適したものとなっているが、硝子製であるため耐衝撃性に問題を残すものであった。
【０００４】
このような耐衝撃度を高めるものとして、鉄球や、プラスチック球があるが、鉄球の場合は重すぎて、又プラスチック球の場合は軽すぎて、それぞれ違和感が残る欠点があった。  
【０００５】
本発明は鉄芯全外面を合成樹脂製外被で覆合させることで耐衝撃性を高め、又適当な重量、好ましくは同一直径の硝子球と同一重量とすることが可能とし、又鉄芯を入れたことで磁石を利用した遊びもでき、又外被を合成樹脂としたことで、外面への印刷も可能として装飾性にも優れたビー玉を提案するものである。
【課題を解決するための手段】
【０００６】
第１の手段として、鉄芯の全外面を合成樹脂製外被で覆合させて第２眞円球とした。
【０００７】
第２の手段として、上記第１の手段を有すると共に、上記鉄芯を第１眞円球とした。
【０００８】
第３の手段として、上記第１又は第２の手段を有すると共に、上記第２眞円球を、該球体と同径のガラス製球体と同一重量とした。
【発明の効果】
【０００９】
請求項１のようにすることで、鉄芯は重く、外被は軽いから適度の重量を有する球とすることが出来、鉄芯を有するから磁石を用いた遊びが出来、又外面を合成樹脂製外被で覆うから耐衝撃性を高めることが出来、球外面への印刷又着色も容易であるから装飾性においても美しくすることが出来る。
【００１０】
請求項２のようにすることで、重心を球中心におくことが容易となり、球各部分における外被の肉厚を等しくすることも容易となる。
【００１１】
請求項３のようにすることで、従来の硝子製のビー玉と大きさおよび重量を同一とすることが出来るから、遊びを行うに際して異和感が生じない。
【発明を実施するための最良の形態】
【００１２】
以下図面について説明すると、１はビー玉として使用する球体で、該球体中心には鉄製の芯体２が埋設させてあり、該芯体は合成樹脂製の外被３内へ包持させてある。
【００１３】
図示実施形態において、芯体２の直径は約10ミリで約４ｇの鉄製の第１眞円球２ａとしており、該第１眞円球の全外面をＡＢＳ樹脂で覆って、直径約１６．７ミリで約６ｇの第２眞円球１ａとしている。該第２眞円球は同一大きさの硝子製ビー玉と重量がほぼ等しくなるよう設けている。尚ビー玉としては、特に定められた大きさ、又重量がある訳ではないから、上記実施形態の寸法、重量は適宜変更しても差支えないが、その際特に望ましいことは、上記第２眞円球１ａの重量を、同一直径の硝子製ビー玉の重量とほぼ等しくすることで、そのようにすることで永年なじんだ硝子製ビー玉と同じ感覚で上記鉄芯入りビー玉を使うことが出来、又上記第１眞円球２ａに対する外被の肉厚も適度に保つことが出来る。
【００１４】
第１眞円球２ａは、第２眞円球１ａの中心に位置させて外被３の肉厚はすべて均等となるように設ける。外被３の覆合は公知の方法を用いて行えばよい。
【００１５】
図示例にあっては図２および図３が示すようにインサート成形で行った。即ち、図２が示すように、第１金型12が有する凹部13内へ第１眞円球２の一半を嵌合させて他半を露出させておき、該露出する第１眞円球他半を、第２金型14の第１キャビティ15内へ突出させ、金型を閉じ、第１金型12と第１眞円球２ａと第２金型14とで囲んだ第１キャビティ内へ第２金型に設けた第１ランナー16から溶融樹脂材料を射出することで第１眞円球２ａ他半外面へ外被３を付着させ、次いで上記両金型を開き、第１金型12を外し、該第１金型に代えて第２キャビティ17を有する第３金型18の第２キャビティ17内へ上記第１眞円球２ａの一半を突出させて第２金型14と第３金型18を閉じ、該状態から第３金型が有する第２ランナー19から第２キャビティ17内へ溶融樹脂材料を射出して第１眞円球２ａ外面を外被３で覆合し、両金型を開いて第２眞円球１ａを取出せばよい。
【図面の簡単な説明】
【００１６】
【図１】本発明ビー玉の断面図である。
【図２】図１ビー玉の製作途中の状態を示す断面図である。
【図３】図１ビー玉を金型内で製作した状態を示す断面図である。
【符号の説明】
【００１７】
１  ビー玉                  １ａ  第２眞円球
２  芯体                    ２ａ  第１眞円球
３  外被
【図１】
2007007003.tif 000003
【図２】
2007007003.tif 000004
【図３】
2007007003.tif 000005
(57)【要約】【課題】指位置を算出する必要がない方法で指が把持物体と接するような目標位置を定め、コンプライアンス制御の目標力が実際に発生する力に正確に反映されるようにする。【解決手段】力検出手段３２を備えた多関節指を複数有する多関節多指ハンド３１の各指をコンプライアンス制御する多関節多指ハンドの物体把持方法において、物体を把持するために指を閉じていく動作の過程でコンプライアンス制御則３４で各々の指の検出力を監視し、検出力によって指が物体に接触したことを検知した時点で、指の前記動作を停止させることによって指位置を定め、全ての指が前記の手順で位置を定めたあと、把持力を発生させて物体を把持する。【選択図】図１
2007007859.tif 000002
【特許請求の範囲】
【請求項１】
力検出手段を備えた多関節指を複数有する多関節多指ハンドの各指をコンプライアンス制御する多関節多指ハンドの物体把持方法において、物体を把持するために指を閉じていく動作の過程で各々の指の検出力を監視し、検出力によって指が物体に接触したことを検知した時点で、指の前記動作を停止させることによって指位置を定め、全ての指が前記の手順で位置を定めたあと、把持力を発生させて物体を把持することを特徴とする多関節多指ハンドの物体把持方法。
【発明の詳細な説明】
【技術分野】
【０００１】
本発明は、ハンドによって物体を把持するロボットの多関節多指ハンドの物体把持方法に関する。
【背景技術】
【０００２】
多関節多指を有するロボットハンドの各指をコンプライアンス制御し、その指で物体を把持すると、外界からの干渉力で把持状態が多少変わっても、コンプライアンス制御の実現する多自由度の剛性によって対応し、把持し続けることができる。
【０００３】
コンプライアンス制御では、目標力Ｆdと検出力Ｆおよび目標位置Ｘdと実位置Ｘについて、静的には  Ｋ（Ｘ−Ｘd）＝Ｆ−Ｆd  なる関係にあるよう制御を行う。ここで、Ｋは仮想的な剛性係数である。この関係を利用して物体を把持する場合、指の目標位置と実際に把持するときの指の位置にずれがあると、目標力と実際に発生している力にもずれが生じる。したがって、指をコンプライアンス制御している場合に目標力として指令した力で物体を把持するには、指が目標位置で物体と接している状態が理想である。ところが多種多様な物体を把持する場合、物体の形状に応じて指の目標位置を設定しなければならない。
【０００４】
物体の正確な形状がわからない場合には、物体を小さく見積るか、目標力を大きめに見積ることによって、把持に必要な力を発生させることができるが、見積りが足りないと十分な把持力が発生できず、また見積りが過ぎると過大な力が発生してしまうという問題がある。
【０００５】
また、物体の形状がわかっていても、ちょうど物体表面に接するような指位置を算出するには、物体の数値的な形状情報が必要で、指位置を算出するための計算量も多い。
【発明の開示】
【発明が解決しようとする課題】
【０００６】
本発明の解決課題は、指位置を算出する必要がない方法で指が把持物体と接するような目標位置を定め、コンプライアンス制御の目標力が実際に発生する力に正確に反映されるようにすることにある。
【課題を解決するための手段】
【０００７】
本発明の課題を解決するための手段は、力検出手段を備えた多関節指を複数有する多関節多指ハンドの各指をコンプライアンス制御する多関節多指ハンドの物体把持方法において、物体を把持するために指を閉じていく動作の過程で各々の指の検出力を監視し、検出力によって指が物体に接触したことを検知した時点で、指の前記動作を停止させることによって指位置を定め、全ての指が前記の手順で位置を定めたあと、把持力を発生させて物体を把持することを特徴とする多関節多指ハンドの物体把持方法である。
【０００８】
上記手段により、各指の検出力を監視することによって指が他の物体に触れたことを検知でき、この時点で指の位置を定めることによって指が物体にちょうど接触する位置に決まる。ハンドの全ての指がこの動作を終了すればハンドの各指が同様に物体表面に接触する位置に定まることになり、ここで力を発生させることによって、コンプライアンス制御の目標力が実際に発生する力に正確に反映される。
【発明の効果】
【０００９】
本発明の手段によれば、検出力を監視することによって指が把持対象物体に接触したことを検知し、その時点で指位置を決定するので、あらかじめ把持する物体の寸法がわかっていない場合にも、指が物体表面に触れる位置に指の目標位置を定めることができ、コンプライアンス制御の目標力が実際に発生する力に正確に反映される。
【発明を実施するための最良の形態】
【００１０】
図１は、本発明の実施例のブロック図である。ロボットハンド３１には力検出器３２と把持力を制御できるアクチュエータ３３が備わっており、力検出器３２で検出された力Ｆは目標力指令発生部３６より送られた目標力Ｆdと比較されコンプライアンス制御則３４に送られ、コンプライアンス関係により位置変位量ΔＸが生成される。この変位量は目標位置指令発生部３７より送られた目標位置Ｘdに加算され、位置制御部３５によって実際の位置がＸとなるようハンドのアクチュエータが制御されて、コンプライアンス制御が行われている。
【００１１】
図２は、本発明の方法で物体を把持する方法を示す摸式図である。指先を矢印の方向に動作させてロボットハンド３１の指先で把持対象物体３８を挟み込むように動作させる時、上記のハンド装置の目標位置指令発生部３７では、制御周期毎にハンドの目標位置Ｘdを動作軌道に沿って更新すると同時に、検出力の監視を行い、目標力指令発生部３６の指令する目標力はあらかじめ定めた閾値Ｆ0に設定しておく。指が物体３８に当たると、ハンドの指に備えた力検出器３２によって力が検出され、目標位置指令発生部３７では、検出力が前記閾値Ｆ0を越えた時に指と物体が接触したと認識し、この時点で対応する指の目標位置の更新を停止することによって、物体を把持するための指の目標位置を決定する。こうして全ての指の目標位置が決定された時点で、目標力指令発生部３６から把持に必要な目標力Ｆdを指令することによって、把持力を発生させる。
【図面の簡単な説明】
【００１２】
【図１】本発明の実施例における装置のブロック図である。
【図２】本発明の実施例における物体把持方法の説明図である。
【符号の説明】
【００１３】
３１  ロボットハンド、３２  力検出器、３３  ハンド駆動アクチユエータ、３４  コンプライアンス制御則、３５  位置制御部、３６  目標力指令発生部、３７  自標位置指令発生部、３８  把持対象物体
【図１】
2007007859.tif 000003
【図２】
2007007859.tif 000004
(57)【要約】【課題】串に刺さった食べ物を安全且つ食べ易くするために切れ目入り竹串を提供する。【解決手段】竹串本体１に切れ目２を入れることによって少ない力で簡単に串を折る事ができ、串も短くなりまた切断面も尖っていないので安全かつ食べ易くなる。【選択図】図１
2007007861.tif 000002
【特許請求の範囲】
【請求項１】
串に切れ目を入れる事によって簡単に二分する事ができ、安全且つ食べ易くした切れ目入り竹串。
【発明の詳細な説明】
【発明の詳細な説明】
【技術分野】
【０００１】本発明は危険で食べ難さを解決する為に、串に切れ目を入れ二分する事によって安全且つ食べ易くしたものである。
【背景技術】
【０００２】従来は二分出来る串は無かった。
【発明が解決しようとする課題】
【０００３】従来の串では最初の二つぐらいは普通に食べれるがそれ以降になると先端が尖っているのでお箸で取るか串を横にして物をずらして外して食べるしかなく危険で食べ難いという難点があった。本発明はこの課題を解決するためになされたものである。
【課題を解決するための手段】
【０００４】竹串の本体１に切れ目２を入れることによって少ない力で簡単に竹串を二分できるようにした。
【発明を実施するための最良の形態】
【０００５】以下、本発明の実施の形態について説明する。
（イ）竹串の本体１に切れ目２を入れる。
【発明の効果】
【０００６】竹串に切れ目を入れることによって少ない力で竹串を二分する事でき、それによって串が短くなり普通に食べる事が出来る。
また、切断面も尖ってなく安全である。
【図面の簡単な説明】
【図１】    本発明の立体図である。
【図２】    本発明の断面図である。
【符号の説明】
１  竹串本体
２  切れ目
【図１】
2007007861.tif 000003
【図２】
2007007861.tif 000004
(57)【要約】 【課題】均等な接触圧で研磨加工を行うことにより、凹凸むらのない理想的な鏡面研磨面を得ること。研磨スラグ、研磨剤の滞留をなくして研磨面の曇り、傷の発生を解消すること。【解決手段】  回転軸１と、この回転軸１の端部に設けた木質系材料からなる当接パッド２を有する。上記の当接パッド２と被研磨体との接触面３には、回転中心を通って外周縁５に至る凹溝４を設ける。【選択図】  図１
2007007823.tif 000002
【特許請求の範囲】
【請求項１】
回転軸と１、この回転軸１の端部に設けた木質系材料からなる当接パッド２を有し、この当接パッド２と被研磨体との接触面３には、回転中心を通って外周縁に至る凹溝４を設けたことを特徴とする鏡面研磨用バフ。
【請求項２】
当接パッド２の先端を、接触面３が最大径となる截頭円錐状に形成したことを特徴とする請求項１の鏡面研磨用バフ。
【発明の詳細な説明】
【技術分野】
【０００１】
この発明は、ＬＳＩの不良箇所解析において、シリコンチップの表面を鏡面仕上げするための鏡面研磨用バフに関するものである。
【背景技術】
【０００２】
ＬＳＩチップ内の不良箇所で生ずるホットエレクトロンなどによる発光現象を光検出装置によって認識し、その特定を行うＬＳＩ不良解析方法は既に知られるところである。ところで、近年ではＬＳＩの大規模化に伴う多層化が進み、金属配線に覆われたＬＳＩチップでは表面側から不良箇所を特定することが困難になっている。このため、多層ＬＳＩチップでは、モールド樹脂を裏面側から切削して内部のシリコンチップを露呈し、最終的にこれをバフで鏡面仕上げし、不良箇所の解析に供したものである。
【０００３】
上記において、シリコンチップの鏡面研磨面に凹凸むらや曇り、傷などがあると、不良箇所からの光が屈折したり、あるいは十分に到達することができず、不良箇所を正確に認識することができないという不具合を招く。このため、従来では特許文献１に記載されるように、研磨剤を染み込ませた綿棒状のバフを使用したものであり、バフ材としては、動物の毛が好適であり、研磨剤としては粘径の細かいダイヤモンドペーストを用いたものである。
【０００４】
しかしながら、従来手法によるときには次のような問題点が提起されている。すなわち第１には、毛バフの座屈によって中心部と周辺部の接触圧差が大きく、研磨面に凹凸むらを生じることである。また第２には、その回転中心において周速が「０」になる部分があり、研磨力不足を生じるばかりでなく研磨スラグが滞留し、これが原因して研磨面に曇り、傷を生じることなどである。
【特許文献１】特開２００４−２０５４４０
【発明の開示】
【発明が解決しようとする課題】
【０００５】
本発明が解決しようとする課題は、均等な接触圧のもとで研磨加工を行うことにより平滑な鏡面を得ることにある。また研磨スラグの滞留をなくすると共に研磨剤の循環を良くして研磨面の曇り、傷を解消することにある。
【課題を解決するための手段】
【０００６】
課題の解決手段として、本発明に係る鏡面研磨用バフは、回転軸と、この回転軸の端部に設けた木質系材料からなる当接パッドを有し、この当接パッドと被研磨体との接触面には、回転中心を通って外周縁に至る凹溝を設けたことを最も大きな特徴としている。
【発明の効果】
【０００７】
本発明に係る鏡面研磨用バフによれば、当接パッドの座屈現象を生じることがない。このため、均等な接触圧力のもとで凹凸むらのない良好な鏡面加工を行うことができる。また凹溝によって回転周速が「０」になるのを解消することができ、さらに研磨スラグの排除、研磨剤の循環を促進することができる。このため、研磨面の曇り、傷などの問題点を解消することができる。
【発明を実施するための最良の形態】
【０００８】
平滑で曇りなどがない理想的な鏡面研磨面を得るという目的を、以下の構成によって簡単かつ合理的に実現した。
【実施例１】
【０００９】
図１は、この発明に係る鏡面研磨用バフの一実施例を示す正面図、図２は同じく底面図、図３は使用状態を示す説明図である。図中の符号１は回転軸  ２は回転軸１の下部に取りつけた木質系材料（繊維方向は軸方向と同じ）からなる当接パッド  ３は当接パッド２の下端に設けた平面状の接触面  ４は接触面３における回転中心を通って外周縁５に抜けるように形成した凹溝である。
【００１０】
当接パッド２の先端部付近は、接触面３の周縁を最大径とし、それより上部は徐々に細径とした截頭円錐状に形成する。上記の鏡面研磨用バフは、加工機械におけるスピンドルにチャック１０を介して取りつけ高速回転する。また加工機械のＸ軸、Ｙ軸およびＺ軸駆動手段（図示省略）は鏡面研磨用バフを三軸方向に制御駆動し、研磨加工に必要な動きを付与する。
【００１１】
一実施例に係る鏡面研磨用バフの構成は上記の通りであって、被研磨体であるＬＳＩのシリコンチップを鏡面仕上げするには、まずシリコンチップＡを上面に向けてセットし、これに研磨剤であるダイヤモンドペーストを供給する。そして、当接パッド２の接触面３を上記シリコンチップＡの上面に軽く圧接し、高速回転しながら所定方向に移動する。
【００１２】
当接パッド２は木質系材料によって構成されるので、接触面３の中心部と周辺部とが均等に接触する。このため、シリコンチップの研磨面に凹凸むらが発生することがなく、均一な鏡面を得ることができる。また接触面３に、その回転中心を通って外周縁５に抜ける凹溝４を設けてあるので、回転周速が「０」の部分がなく、研磨スラグが滞留せず、またダイヤモンドペーストの循環が促進される。このため、研磨面に曇りが出たり或いは傷がつくなどの弊害がない。
【００１３】
また一実施例の鏡面研磨用バフは、その先端を截頭円錐状としているため、接触面３の外周縁５の回転速度が最も高くなっている。このため、ダイヤモンドペーストが遠心力によって上部に巻上げられることがなく、これを周辺に飛散させるようなこともない。よって粘性の高い研磨剤であっても効果的に使用することができる。また供給された研磨剤を攪拌して循環を促進するなどの効果も併せて発揮する。
【図面の簡単な説明】
【００１４】
【図１】鏡面研磨用バフの一実施例を示した正面図である。
【図２】同じく、底面図である。
【図３】一実施例に係る鏡面研磨用バフの使用状態を示す説明図である。
【符号の説明】
【００１５】
１    回転軸
２    当接パッド
３    接触面
４    凹溝
５    外周縁
【図１】
2007007823.tif 000003
【図２】
2007007823.tif 000004
【図３】
2007007823.tif 000005
(57)【要約】【課題】  ２合成繊維を混合して２繊維の特徴をあわせ持たせるロープにおいて伸び・伸度をほぼ同様とし、ロープのストランドリードを比較的短くして初期荷重時の伸度を大にし、比較的安価で、比較的、短距離係船、船舶曳航を良好にする。【解決手段】  ２合成繊維混合ロープにおいて原糸の伸度を合わせて比較的大としまた、繊維の熱収縮差を応用し、なお、繊維ロープ製作に際して、ストランド構成の工夫等により初期負荷を受けるに際してロープの変形を大にし、繊維ロープの短い距離・間隔における使用に適させ、なお、耐初期衝撃力を良好にする。【選択図】図１
2007254941.tif 000002
【特許請求の範囲】
【請求項１】
ポリプロピレン繊維とポリエステル繊維の２繊維を混合して構成するロープにおいて、２繊維の性質のうち、伸びを、ほぼ同様となるように調整することを特徴とする船舶用繊維ロープ。
【請求項２】
繊維の熱収縮率においてポリエステル繊維の収縮率よりもポリプロピレン繊維の収縮率が大なることを応用し負荷重時に対して２繊維の伸び調整を行うことを特徴とする請求項１記載の船舶用繊維ロープ。
【発明の詳細な説明】
【技術分野】  本発明は、初期荷重時の伸び・伸度を大にし、初期衝撃荷重対抗力の増加を計る繊維ロープに関するものであり、なかでも、短い距離・間隔において使用するときに良好なロープに関する。本機能を船舶関連ロープ以外のロープに応用することが可能である。
【背景技術】
【０００１】  従来の合成繊維ロープの開発方向において、以前に用いられていた天然繊維製ロープの性質と比すことから始め、伸度面においては比較的低伸度となし、強度面においては、従来の天然繊維製に比し高強力を更なるものとなし、ワイヤーロープに近づける方向であった。ゆえに、ロープに使用する合成繊維開発においては、高延伸による高強力の繊維開発の方向に向かい、ロープの構造においては、加撚による強度低下を少にするために無撚りとなしたり、加撚による強度低下を可能な限り少にするなどとして合成繊維ロープ需要が増大し、さらに、用途に好適なロープ開発を行うに、単一繊維の性質のみにたよることなく、ポリプロピレン繊維とポリエステル繊維２繊維混合ロープを開発し両繊維の特徴をあわせて持たせたロープとし、船舶用等の用途に適合させてきた。【０００２】  しかし、近来、船舶係留等に際して、荷役業務を、より効率良くするため、岸壁等に、より接近して接岸する方向にあり、なお、船舶荷役の機械化が進み、コンペアー等を用いることが多く、また、フェリーボートにおいては、船体と岸壁に渡す車輌走行用橋の揺動を小にするため船体動を可能な限り小にすることが肝要となり、短い距離・間隔においてロープを使用し、船体揺動を可能な限り少にしなければならなくなっている。【０００３】  また、船舶曳航に際しては、外航船の大型化により、狭隘な港湾内においての自力走航難を補うため、大型船側に曳船が近接し、大型船側に添って短い距離・間隔で曳航ロープを用いて大型船曳航走行することが増加している。
【発明の開示】
【発明が解決しようとする課題】
【０００３】  解決しようとしている問題点は、近接接岸短距離・間隔係留時、および、近接曳航短距離繋ぎ時に使用する短尺使用係船曳航繊維ロープについての問題が主であるが、長尺使用ロープにおいての問題も含む。
【課題を解決しようとする手段】
【０００４】  船舶係留曳航ロープの仕事量は、図１に示すロープ強力―伸び曲線の下側の面積で現され、したがって、ロープの強力が一定のとき、ロープの仕事量はロープの伸び量に比例し、ロープの伸び量はロープの長さに比例する。したがって、船舶を近接接岸短距離・間隔においての係留時、および、近接曳航短距離・間隔曳航のロープについては、強度を上げるとともに伸び量を多くする要があり、特に海洋が荒れて船舶が激しくローリングし、ロープに衝撃力が加わるときに、対応するようにしなければならない。
【０００５】  この点に着目し、船舶を近接接岸短距離係留時、および、近接曳航短距離繋ぎ時の適切な繊維ロープについて各種合成繊維ロープの実際使用の研究を積み重ね、ロープに用いる原糸の性状とロープの構造の工夫に着目し、一つの方法としてロープに用いる原糸において、ポリエステル繊維とポリプロピレン繊維を複合し両繊維の性質を併せ持たせたロープとすることを特徴するほか、両繊維の性質のうち、伸び・伸度のみを、ほぼ同様となるように調整する際、伸度が大なる方、すなわち、ポリプロピレン繊維の伸度、約２５％にポリエステル繊維の伸度を合わせることに調整し、ロープが受ける初期荷重時の伸びを大にして耐衝撃力を良好にする。
【０００６】  他の方法として、ポリプロピレン繊維とポリエステル繊維とを混合して構成するロープのヤーンを熱処理するに際して、両繊維の熱処理温度を一定とするときの両繊維の熱収縮差を利用して両繊維に収縮差を付与し、該ヤーンによるロープに初期荷重がかかるとき熱収縮が大なる繊維にのみ荷重がかかり、ロープの初期伸びが大となりロープの耐初期衝撃荷重力が大となり、ロープに掛かる荷重が増加するにつれて両繊維に荷重がかかることとなり、ロープの総強力は該熱処理を行わないヤーンを用いたロープと同様となる。さらに、ロープのストランドリードを通常よりも短くする。この際、ロープの強度はやや低下するがロープの初期伸び量が増加し、すなわち、ロープの歪エネルギーの蓄積が大きく、近接接岸短距離・間隔係留時、および、近接曳航短距離・間隔繋ぎ繊維ロープに適する。
【発明の効果】
本発明によるロープにつき、２繊維混合ロープにおいて、両繊維の伸びの調整の工夫によりロープの歪エネルギーを大にすること、および、ロープの変形によるロープの伸びを大にし、ロープ初期負荷時の歪エネルギーを大にし、船舶の近接接岸短距離・間隔係留時、および、近接曳航短距離・間隔繋ぎに適するロープとすることである。
【発明を実施するための最良の形態】
【０００７】  本発明ロープの使用に際し、特に短距離・間隔の係船時においてロープの初期荷重衝撃対抗力を大とし、歪エネルギーの蓄積を大とし、ロープの損傷を少にするとともに、船体の衝撃負荷を少にし船体を守ることにある。
【実施例】  図１は、本発明にかかる繊維ロープの構成を現し、図２は、本発明による繊維ロープ強力−伸び線図である。
【産業上の利用可能性】  船舶係留に際しては、荷役業務を、より効率良くするため、岸壁等に、より接近して接岸する方向にあり、船舶曳航に際しては、外航船の大型化により、狭隘な港湾内においての自力走航難を補うため、大型船側に曳船が近接、添って併走することが増加している。これに際して、近接、短距離・間隔における繊維ロープの歪エネルギーを大にすることにより係留、曳航の安全を計ることができる。
【図面の簡単な説明】
【図１】繊維ロープの構成を示す図である。
【図２】繊維ロープの強力と伸度関係線図である。
【符号の説明】
１  繊維ロープ
２  ストランド
３  ヤーン
４  原糸・繊維
５  ロープの伸び表示線
６  ロープの強力表示線
７  ロープ強力―伸び曲線
【図１】
2007254941.tif 000003
【図２】
2007254941.tif 000004
(57)【要約】      （修正有）【課題】水路に設置する水門装置、特に自動水門の凍結などによる、トラブルを防ぐため、着脱を容易する水門取り付け用板の提供。【解決手段】水路に水門装置４を取り付ける時水路にネジ機構やクランプ機構による、押し付け板を水路面に押し付ける機構により、固定並び水漏れ対策が出来、さらにパッキン１２やシール材での確実な水漏れ対策も可能であり、これ等の機構により水門装置４の着脱が可能であり、凍結などのトラブルを未然に防ぐ手段である。【選択図】図１
2007254988.tif 000002
【特許請求の範囲】
【請求項１】
水門を着脱自在に取り付け、取り外しの出来る水門取り付け用板の外形を水路の形状に近似した形状とし、かつ、水を給排水するための開口部を備え、更に、水路に取り付けるための機構を配することを特徴とする、水門取り付け用板。
【請求項２】
水門取り付け用板をネジ締め付け機構、又はクランプ機構により水路に着脱できる事を特徴とする、請求項１記載の水門取り付け用板。
【請求項３】
水門取り付け用板と水路の間にパッキン、シール材による水漏れ対策をした、請求項１並び請求項２記載の水門取り付け用板。
【発明の詳細な説明】
【技術分野】
【０００１】
本発明は水田等の水路における、水門装置を水路に着脱する装置に関する。
【背景技術】
【０００２】
水田の田植えから収穫まで水位を管理するため、水門装置を設置する、これ等の装置に関する。
【特許文献１】特開平９−３２７２４４
【特許文献２】特開平１０−１４４２１
【特許文献３】特開平９−３２２６６４
【特許文献４】特開平８−１７２９４３
【特許文献５】特開平９−２４８０７６
【発明の開示】
【発明が解決しようとする課題】
【０００３】
本発明は水路における、水門装置の着脱を容易に確実に出来ることにある。
【課題を解決するための手段】
【０００４】
水門を着脱自在に取り付け、取り外しの出来る水門取り付け用板の外形を水路の形状に近似した形状とし、かつ、水を給排水するための開口部を備え、更に、水路に取り付けるための機構を配することを特徴とする、水門取り付け用板。
【０００５】
水門取り付け用板にネジ締め付け機構、又はクランプ機構により水路に着脱できる事を特徴とする、請求項１記載の水門取り付け用板。
【０００６】
水門取り付け用板と水路の間にパッキン、シール材による水漏れ対策をした、請求項１並び請求項２記載の水門取り付け用板。
【発明の効果】
【０００７】
本発明は、稲作、水耕栽培、魚の養殖などでは、水を管理することが重要であるが、これ等の水路に水門の設置の着脱が容易に出来る効果がある特に自動水門装置では使用しないとき取り外しが出来、雪など凍結によるトラブルなどを防ぐことが出来る効果がある。
【発明を実施するための最良の形態】
【０００８】
本発明を水田用Ｕ字溝の水止板挿入部に適用した場合、水止板挿入部に水門取り付け板を挿入し、ネジ締め付け機構、又はクランプ機構により、押し当て部を水止板挿入部に押し当て固定するさらにパッキン、シール剤により水漏れ対策を行い、これ等により着脱が可能で水漏れ対策が出来る水門取り付け用板である。
【実施例】
【０００９】
図１は本発明の水門取り付け用板３と水門装置４を水路のU字溝１に取り付ける、展開図である。
さらに詳しく説明をすると、水門取り付け用板３は押し付け板6、締め付けネジ７、ロックナット８、水門装置取り付け穴９、これ等から構成され、U字溝１の、水止板挿入部２に、パッキン１２や水門取り付け用板３を挿入し、水門装置４を取り付けボルト５で固定する、取り付け展開図である。
【００１０】
水門取り付け用板３と水門装置４の関係は、あらかじめ水門装置４を水門取り付け用３に取り付けた状態でＵ字溝１に設置するか、水門取り付け板３をＵ字溝１に取り付けた後に、水門装置４を取り付けるかは自在である。
【００１１】
図２は水門取り付け用板３の正面図である。
水門取り付け穴９に水門装置４が取り付けられる水路開口部１３は水路になり、水門装置４を取り付けるこの水門装置４にて給排水は実施される又押し付け板６に締め付けネジ７を左右に回転させることにより、Ｕ字溝１との着脱を可能にし、さらにロックナット８によって、押し付け板６締め付け力を一定にする機構である。
【００１２】
図３は水門取り付け用板３の側面図である。
水門取り付け用板３は水止板挿入部２に挿入する又水門装置取り付け穴９は水門装置４を取り付ける固定穴である。
【００１３】
図４は、ネジ締め付け機構による、水門取り付け用板３の水路への押し付け機構の部分斜視図である。
パッキン１２を水門取り付け用板３に装着し水止板挿入部２に挿入事の図である締め付けネジ７をボルト締め付け方向A矢印のように廻す事により、押し付け板６をU字溝１に締め付け、又はボルト緩め方向B矢印のように廻す事により押し付け板６を緩めて、水門取り付け用板３を取り付け取り外すことが可能で、又ロックナット８により、締め付け力が変化しないようにする、ネジ機構による水門取り付け用板である。
【００１４】
図５は、クランプ機構による、水門取り付け用板３の水路への押し付け機構の部分斜視図である。
パッキン１２を水門取り付け用板３に装着し水止板挿入部２に挿入事の図であるクランプ１０をクランプ締め付け方向Ｃ矢印方向のように、倒す事により押し付けロット棒１１を押し付け板６並びＵ字溝１に締め付け、又クランプ緩め方向Ｄ矢印方向にように、倒す事により押し付け板６を緩めて水門取り付け用板３とＵ字溝１の脱着が可能になる、クランプ機構による水門取り付け用板である。
【００１５】
押し付け板６の押し付け部の形状は、四角形、台形、円柱、円筒、円錐、多角形の、いずれの形状であっても良い。
【００１６】
押し付け板６の締め付け力の加圧は、左右両側面同時加圧や、数箇所加圧でもよい。
【００１７】
水門取り付け用板３の形状や材質により水漏れ対策も出来るが、より効果的に水漏れ防止するため、水路と水門取り付け用板３との間にゴム、合成ゴム、樹脂のパッキンやシール材により水漏れ対策することが好ましい。
【産業上の利用可能性】
【００１８】
本発明は水路のU字溝に手動水門装置や、自動水門装置を設置する時、着脱しやすくなり、凍結等によるトラブル防止にもなる。
【図面の簡単な説明】
【００１９】
【図１】本発明の水門取り付け用板と水門装置をU字溝に取り付ける、展開図。
【図２】本発明の水門取り付け用板の正面図。
【図３】本発明の水門取り付け用板の側面図。
【図４】本発明のネジ締め付け機構による、水門取り付け用板の水路押し付け機構の部分斜視図である。
【図５】本発明のクランプ機構による、水門取り付け用板の水路への押し付け機構の部分斜視図である。
【符号の説明】
【００２０】
１…U字溝
２…水止板挿入部
３…水門取り付け用板
４…水門装置
５…取り付けボルト
６…押し付け板
７…締め付けネジ
８…ロックナット
９…水門装置取り付け穴
１０…クランプ
１１…押し付けロット棒
１２…パッキン
１３…水路開口部
A…ボルト締め付け方向
B…ボルト緩め方向
Ｃ…クランプ締め付け方向
Ｄ…クランプ緩め方向
【図１】
2007254988.tif 000003
【図２】
2007254988.tif 000004
【図３】
2007254988.tif 000005
【図４】
2007254988.tif 000006
【図５】
2007254988.tif 000007
(57)【要約】【課題】従来襦袢という前開き2重部を有するストレッチせいの少ない着物用下着にたいして洋装なれした人でも着用し易く着崩れししにくい例え着崩れしても修正し易い下着肌着を創出する。【解決手段】襦袢のような前開き2重部がなくして着崩れし難く着崩れしても修正しやすくした一重ストレッチ肌密着構造手段襟刳りを深くして着用時に着物の襟筋から見えないようにする易いようにする縫製形体美的オシャレ感覚のため首周りのボーダーに鮮明な色彩や織柄、プリント柄等を配置縫製フィット感と着崩れ防止にストレッチ編み物やストレッチ織物を利用するだけでなく多サイズを容易にする簡易カッテイング縫製可能手段【選択図】  図１
2007254916.tif 000002
【特許請求の範囲】
【請求項１】
着物着用時、美的発汗健康的になるように、後襟が深く着用時上の着物よりほぼ見えないようなクリが深くして且つ襟首周りが派手な色、柄またはプリント柄で飾られた型崩れの少ない硬い生地で着物的な広幅襟よりなる裁断縫製構造着物用肌着
【請求項２】
首周りの生地は鮮やかな色(白を含む)、柄またはプリント柄、レース柄の幅は15mm以上の幅をもつ
【請求項３】
首周りの襟部は派手鮮明な色、柄またはプリント柄であり肌部の生地より硬い折り曲げ特性とより伸びの少ない特性をもつ織物、編み物、レース素材を含む
【請求項４】
裾に洋服感覚であるレースやリボン飾りを含む
【請求項５】
肌部の生地は緯方向20%以上のストレッチのある生地であり
襟部の生地は緯方向10%以下のストレッチの少ない生地を含む
【請求項６】
襦袢のような前あわせ2重構造がない筒状一重構造の和装用下着を含む
【請求項７】
肌着の縫製形体はボクサーまたはタイツまたはトランクス、キュロット、タイプの形を含む
【請求項８】
襟部の生地のKES測定のB(曲げ剛性)の値が0.06以上の硬い特性布帛を含む
【発明の詳細な説明】
【技術分野】
【０００１】
和装上着に適したその下に着用する和装肌着に関する。
【背景技術】
【０００２】
従来、和装の下着は襦袢やガーゼ等の前開き2重のかさね合わせ部があり一般的に同色系の襟よりなるものばかりであった。洋服を着慣れた人には扱いにくく、着用時もずれたりおどったりして着物着用外観を損ねることが多かった。
【０００３】
サイズ数も少なく寸胴型で体格の違いも修正し難いものであったため着用運動時には特に着崩れし易く醜くなり着崩れの修正も腰紐を解いて修正したり等容易でなかった。
【０００４】
しかし、従来のニット肌着着用では、襟筋に肌着が襟首筋に見え美的着用に耐え難かった
従来襦袢といわれる着物下着はあり上の和装着物と同じように前開き2重重ね部からなり
肌への形体なじみはほとんどなく運動等で着崩れし易くその修正は現代娘たちにはほとんど不可能といえた。美的色彩的にも上着としての和装を汗等で汚さない等の機能しかなかったといえる。
その上、一般の洋装用肌着は着物着用時に後襟筋に醜い下着が見えて着用に耐えがたかった。
【特許文献１】特開平１０−４６４０２公報
【発明の開示】
【発明が解決しようとする課題】
【０００５】
洋服になれている人のために洋服感覚の和装用肌着にすることである。
洋服感覚であるからサイズがあり一人一人の体型に合う多サイズから最適を選べる。
Tシャツ感覚の肌着であるに拘わらす衿の前開きが大きくて着物の衿から見えないデザインにしている。
Tシャツ感覚のデザインであるに拘わらす、着物の後衿を抜く着こなしが多いので後の襟ぐりに特徴があり、後ろ衿開きから絶対に見えない広く深く空いた襟ぐりにしている。
肌部生地には伸縮性が有りウエストを細く絞ったデザインになる又は縫製するため腰紐で体型に添わす必要がない。また従来は前をあわせる着物タイプで前が2重に重なるがその必要がないのでスッキリした着こなしができる。
着物のきくずれを直しやすいように引く事が出来る長さにフリーサイズにして肌着は丈が帯を結んだ時に帯の下から出るようにして着崩れを直し易くした丈にする
【課題を解決するための手段】
【０００６】
襦袢のような前開き2重部がなくして着崩れし難く着崩れしても修正しやすくした一重ストレッチ肌密着構造手段
【０００７】
襟刳りを深くして着用時に着物の襟筋から見えないようにする縫製形体
【０００８】
美的オシャレ感覚のため首周りのボーダーに鮮明な色彩や織柄、プリント柄、レース等を配置縫製する
【０００９】
襦袢に使う腰紐を使わなでも、肌部の伸縮性の大きい生地を使用するため、運動時にずれ
理整番号＝Ｐ１０２００６−０１                                            （3）
にくく結果として着崩れし難いことになる
【００１０】
肌部の生地にはフィット感と着崩れ防止に伸張回復特性のよいストレッチ編み物やストレッチ織物を利用するだけでなく多サイズ化を容易にする簡易カッテイング縫製可能なる手段を採用しやすくなる
【発明の効果】
【００１１】
着用運動時に肌着的に身体にフィットし肌と着物との緩衝役をはたし上着物の着崩れしがたい
【００１２】
例え着崩れしても着用修正が容易
【００１３】
襟の回りを美的印象的外観効果付与のための色（白を含む）やプリント柄、織柄、レース柄で広幅に淵どる
【実施例１】
【００１４】
生地に綿丸編をもちいて緯方４２．９％の向伸縮性をもたして肌へのフィット感をよくして着崩れしないような筒状にして
襟回りは緯方向６．１２％の低伸縮性且つKES曲げ剛性B０．０６４０の硬めの生地で鮮やかな花プリント柄をあしらいその幅は2cm以上にして際立たせる
背中の刳りは大きくして肩よりd=10cmと深く刳ることしより着用時首筋に肌着が見えないようにする
【実施例２】
【００１５】
生地に綿/スパンデックス後編の厚地の丸編をもちいて緯方１２６．３％の向伸縮性をもたして肌へのフィット締め付け感を大きくして身体補正機能を持たせた上着崩れしないような筒状のままの縫製構造にして、襟回りは緯方向低伸縮性且つKES曲げ剛性B０．０７３０曲げヒステレシスHD０．０５５４の硬めの生地で鮮やかな小柄プリントをあしらいその幅は２５mm以上にして際立たせる
背中の刳りは大きくして肩よりd=1２cmと深く刳ることしより着用時首筋に肌着が見えないようにする
【図面の簡単な説明】
【００１６】
【図１】本発明における和装用肌着の正面図
【図２】本発明における和装用肌着の背面図  dはその刳り長さ
【図１】
2007254916.tif 000003
【図２】
2007254916.tif 000004
(57)【要約】      （修正有）【課題】裁断による糸くずれが少なく、着用時も形態が安定し、服のシルエットや強度が保たれる繊維素財を提供する。【解決手段】亜鉛や銅のように熱伝導性の高い金属を粉末にし、溶融したナイロン、ポリエステルと均一に混ぜ芯糸とし、複層構造の形態強化補正繊維にする。これを使用した服地は外では体温や太陽の熱で繊維が柔らかく動きやすく、一方熱が冷えると形状を記憶して形態が安定する。その為ビジネススーツのように繰り返しの動きの多い用途には、新しい付加価値となるものである。【選択図】なし【特許請求の範囲】
【請求項１】
屋外で体温の上昇や太陽の熱射により繊維表面がやわらかく動く事が出来て
暫くすると熱が冷え形状を記憶し形態が安定しその後熱が次第に伝わり繊維
が柔らかくなり人体の動きが伝わり動かし易くなる事の繰り返しで服のシル
エットや強度が保たれる。
【発明の詳細な説明】
【技術分野】
【０００１】
本発明は今までの服に体のサイズを合わせる事よりも服地に安定した形態と
柔軟さを与えて形態補正しながら同時に強度を増す。
【背景技術】
【０００２】
従来は繊維自体が伸びる事により弾性限度を超えると繊維が裂けてしまう
恐れがあった。体のサイズが服にあわない時も繊維を伸縮し易く形態補正
させていく利点がある。
【０００３】
この改善策としてサビの出にくい金属元素を用いて例えば銅や亜鉛は熱を
伝え易くもろいので、金属の箱に銅や亜鉛の塊をいれ箱をとじ内部に衝撃
波を当てて粉末状に変えポリエチレンやナイロンと混ぜて糸の芯として強
度を備え熱伝導がよく動性のある芯をもつ層を増やす一本の微細な糸を使
う繊維を織りあげる。
【発明の開示】
【発明が解決しようとする課題】
【０００４】
解決しようとする問題点は地球環境の変化や砂漠化により天然の絹や麻、木
綿が得られにくくなると同時に従来の部屋着や工事現場の作業着は破れやす
さ、肘や膝が抜け易く強度が弱い短所が大部分の服地の共通認識であった。
【課題を解決するための手段】
【０００５】
本発明は天然素材の服の生地が得られにくくなった環境を想定し、通勤や通
学のスーツや制服や工事現場の作業着や軍服などにも応用の効き、気象の変
化を利用して服地に変化を与える一本の糸の中に複層構造を考えて亜鉛や銅
などの金属元素を粉末に変え液体状のナイロンやポリエステルと均一に混ぜ
糸の芯として太めの複層構造に変え乾燥後繊維を織り上げる。織り上げた繊
維を洋服の裏地に用いて直接雨水に触れても金属のサビが出なくすると良い。
【発明の効果】
【０００６】
本発明の形態強化補正繊維は強度が繊維自体にあるため裁断による糸くずれ
が従来の天然生成素材より少ないと思われる。また必要に応じて大量生産が
長所でもある。形態強化補正繊維であるため服の鍵裂きや軍服としても金属
元素のチップで強化されているため生命の安全性や傷という局面にも効果を
発揮できる。
【発明を実施するための最良の形態】
【０００７】
本発明の形態強化補正繊維は強度が要求される、例えば魚網ネットや潜水ウ
ェア、スポーツウェア等の雨水や動き易さと強度が従来の合成繊維よりも理
論上型崩れし難い事は、日中屋外や部屋で本発明の繊維表面に太陽光線や体
温が伝わり繊維がやわらかくなり動きが加わっても形態を補正しながら芯に
金属元素を使うことにより強度があるため服のシルエットを補正しながら形
態を維持し熱が冷え服の動作を記憶して自由なポージングに耐えるものであ
る。そのためには金属元素を硬い金属の箱にいれ衝撃波を当てるためのより
やわらかくてサビの出ることをおさえより粒子が細かくなるための金属元素
素材選びが重要である。
(57)【要約】      （修正有）【課題】複数の補整矯正機能を備えたボディスーツで着脱が容易であり、肌触りが良くで締め付けをも調整可能な健康、美容よくばりボディスーツを提供する。【解決手段】本体（１１）に前中心部ファスナー（６）を設け、本体（１１）の両側に上から、バストアップベルト（７）、上腹部補正ベルト（１）、ウエスト補正ベルト（２）、骨盤矯正ベルト（３）、ヒップアップベルト（４）を設け、バストアップベルト（７）にバストアップベルト中心部マジックテープ（５）を設け、上腹部補正ベルト（１）、ウエスト補正ベルト（２）、骨盤矯正ベルト（３）、ヒップアップベルト（４）にはそれぞれ補正ベルトのマジックテープ（８）を設け、背中部分には背筋矯正パワーネット（１２）を設けたことを特徴とする、健康、美容よくばりボディスーツ。【選択図】図１
2007254940.tif 000002
【特許請求の範囲】
【請求項１】
本体（１１）に前中心部ファスナー（６）を設け、本体（１１）の両側に上から、バストアップベルト（７）、上腹部補正ベルト（１）、ウエスト補正ベルト（２）、骨盤矯正ベルト（３）、ヒップアップベルト（４）を設け、バストアップベルト（７）にバストアップベルト中心部マジックテープ（５）を設け、上腹部補正ベルト（１）、ウエスト補正ベルト（２）、骨盤矯正ベルト（３）、ヒップアップベルト（４）にはそれぞれ補正ベルトのマジックテープ（８）を設け、背中部分には背筋矯正ベルト（９）、パワーネット（１２）を設けたことを特徴とする、健康、美容よくばりボディスーツ。
【発明の詳細な説明】
【技術分野】
【０００１】  本発明は、本体にファスナーを設け、本体の両側に上から、バストアップベルト、上腹部補正ベルト、ウエスト補正ベルト、骨盤矯正ベルト、ヒップアップベルトを設け、バストアップベルトにバストアップベルト中心部マジックテープ（登録商標）を設け、上腹部補正ベルト、ウエスト補正ベルト、骨盤矯正ベルト、ヒップアップベルトにはそれぞれ補正ベルトのマジックテープを設け、背中の部分には、背筋矯正を高めるため、クロスした部分にパワーネットを設けた健康、美容よくばりボディスーツに関するものである。
【背景技術】
【０００２】  従来、複数の矯正機能を兼ね備えたボディスーツがあった。
【特許文献１】  特開２００２−１２９４０６号公報
【発明の開示】
【発明が解決しようとする課題】
【０００３】  そのためつぎのような問題があった。
従来の製品の問題点は素材が硬く着脱するときも大変だった。
硬くてかゆみをともなうこともあった。
【課題を解決するための手段】
【０００４】（イ）本体（１１）に前中心部ファスナー（６）を設ける。
（ロ）本体（１１）の両側に上から、バストアップベルト（７）、上腹部補正ベルト（１）、ウエスト補正ベルト（２）、骨盤矯正ベルト（３）、ヒップアップベルト（４）を設ける。
（ハ）バストアップベルト（７）にバストアップベルト中心部マジックテープ（登録商標）（５）、背筋矯正ベルト（９）を設ける。
（ニ）上腹部補正ベルト（１）、ウエスト補正ベルト（２）、骨盤矯正ベルト（３）、ヒップアップベルト（４）にはそれぞれ補正ベルトのマジックテープ（８）を設ける。
以上のように構成された、健康、美容よくばりボディスーツ。
【発明の効果】
【０００５】  素材を薄くて柔らかく、伸縮性のある物にすることで、締めつけすぎることがなく血行が悪くならない。
肌に触れる部分を綿にすることでかゆくならない。
前面にファスナーを付けることで着脱が楽になる。
吸汗性と保温性を持つ素材をしようすることで、冬の寒さや夏の冷えから体を守り、汗も吸い取る。
【発明を実施するための最良の形態】
【０００６】  以下、本発明の実施の形態について説明する。
（イ）本体（１１）に前中心部ファスナー（６）を設ける。
（ロ）本体（１１）の両側に上から、バストアップベルト（７）、上腹部補正ベルト（１）、ウエスト補正ベルト（２）、骨盤矯正ベルト（３）、ヒップアップベルト（４）、背筋矯正ベルト（９）を設ける。
（ハ）バストアップベルト（７）にバストアップベルト中心部マジックテープ（登録商標）（５）を設ける。
（ニ）上腹部補正ベルト（１）、ウエスト補正ベルト（２）、骨盤矯正ベルト（３）、ヒップアップベルト（４）にはそれぞれ補正ベルトのマジックテープ（８）を設ける。
以上のように構成された、健康、美容よくばりボディスーツ。
上腹部補正ベルト（１）、ウエスト補正ベルト（２）は、伸縮性がある薄い素材を使用し、過剰な締め付けを防ぐ。
骨盤矯正ベルト（３）は、少し厚めで伸縮性のある素材を使用し、下から持ち上げられるようにする。
ヒップアップベルト（４）も、少し厚めで伸縮性のある素材を使用し下から持ち上げられるようにする。
前中心部ファスナー（６）は、バストアップベルト（７）を調節と着脱するため、バストアップベルト中心部マジックテープ（５）を使用する。
本体（１１）の前中心部は、ファスナー（６）を付け、着脱しやすくし、前中心部ファスナー（６）の裏は綿を当て肌に直接ファスナーが触れないようにする。
バストアップベルト（７）から、背筋矯正ベルト（９）にかけては肩への負担を軽減するように布を薄くし、胸部は、バストアップ効果を出すため布を厚くする。
背筋矯正ベルト（９）の背中のクロスした部分はパワーネット（１２）を使い背筋矯正力を高める。
後ろ中心部（１０）は、各ベルトの支えとなるため、各ベルトの支えとなるため、厚い素材を使用する。
上腹部補正ベルト（１）、ウエスト補正ベルト（２）、骨盤矯正ベルト（３）、ヒップアップベルト（４）のベルトの留め部は、それぞれの体型にあわせて調節できるようにする。また、着脱しやすいようにマジックテープ（８）を使用する。
【図面の簡単な説明】
【０００７】
【図１】  本発明のベルトを外した状態の前面図である。
【図２】  本発明のベルトを留めた状態の前面図である。
【図３】  本発明のベルトを外した状態の背面図である。
【図４】  本発明のベルトを留めた状態の背面図である。
【符号の説明】
【０００８】    １  上腹部補正ベルト
２  ウエスト補正ベルト
３  骨盤矯正ベルト
４  ヒップアップベルト
５  バストアップベルト中心部マジックテープ
６  前中心部ファスナー
７  バストアップベルト
８  マジックテープ
９  背筋矯正ベルト
１０  後ろ中心部
１１  本体
１２  パワーネット
【図１】
2007254940.tif 000003
【図２】
2007254940.tif 000004
【図３】
2007254940.tif 000005
【図４】
2007254940.tif 000006
(57)【要約】【課題】  レインコート等の、フードのズレや捲れを防止する。【解決手段】  レインコート等のフード部分１、にクリップ２、を取り付けたものである。【選択図】図１
2007254938.tif 000002
【特許請求の範囲】
【請求項１】
レインコート等のフード部分にクリップを取り付け、風雨等によるフードのズレや、捲れを防止できるようにしたものである。
【発明の詳細な説明】
【技術分野】
【０００１】本発明は、レインコート等のフードにクリップを取り付け、風雨などによって、フードのズレや捲れ等を防止できるようにしたものである。
【背景技術】
【０００２】従来、レインコート等のフードの固定には、急きょ洗濯ばさみ等で対応したり又、フード自体を紐等で固定していた。
【発明の開示】
【発明が解決しようとする課題】
【０００３】フード付きレインコート等を着用している際、風雨等によってフードが、ズレたり捲れたりすることが課題であった。
【課題を解決する為の手段】
【０００４】本発明は、それらの課題を解決する為に発案されたもので、それを図面について説明すれば、レインコート等のフード１、にクリップ２、を取り付けることによって、帽子等の庇部分とフードを固定することができる。
【発明の効果】
【０００５】このようにすれば、風雨等によるフードのズレや捲れ等を防止でき、顔が濡れたり又、帽子のいたみも防ぐことができる。
【実施例】
【０００６】レインコート等のフードのクリップ部分を、指でつまんで帽子等の庇部分に挟むだけで、フードと帽子等の庇部分を固定することができる。
【図面の簡単な説明】
【０００７】
【図１】レインコート等のクリップ付きフード使用時の断面図である。
【図２】クリップ付きレインコート等の正面図である。
【符号の説明】
【０００８】１、レインコート等のクリップ付きフード
２、レインコート等のクリップ付きフードのクリップ部分
【図１】
2007254938.tif 000003
【図２】
2007254938.tif 000004